(57)【要約】      （修正有）【課題】２箇所以上の取出し口を設け、上下前後左右あらゆる方向から紙を取出すことができるようにして、置かれた状況に最適な方向から紙を取出すことができる紙収納体を提供する。【解決手段】略直方体の紙収納体の上面２Ａの中央部に設けられた取出し口３と上面２Ａと前面４Ａの接する部分近くに設けられた取出し口５や上面２Ａと側面６Ａの接する部分近くに取出し口７が設けられたことで上下前後左右あらゆる方向から紙を取出すことができる。【選択図】図１
0003231004.tif 000002
【実用新案登録請求の範囲】
【請求項１】
略長方形に折り畳まれた複数枚の積層した紙全体を覆い隠して収納する略直方体の空洞の紙収納体であって、前記紙収納体の６面のうち一番広い面積の面の一つを上面、他方を底面とし、上面または底面の中央部を含む部分に設けた開口部を開口部１とし、前記上面または底面の一部と４つの側面の一部を含むように設けた開口部を開口部２として、開口部１を一つと開口部２を二つ以上設けたことを特徴とする紙収納体。
【請求項２】
略長方形に折り畳まれた複数枚の積層した紙全体を覆い隠して収納する略直方体の空洞の紙収納体であって、前記紙収納体の６面のうち一番広い面積の面の一つを上面、他方を底面とし、前記上面または底面の一部と４つの側面の一部を含むように設けた開口部を開口部２として、開口部２を二つ以上設けたことを特徴とする紙収納体。
【請求項３】
請求項１記載の紙収納体において、前記開口部１の長手方向の長さと上面の最長辺を含む開口部２の長手方向の長さが上面の最長辺の長さの４０％以上の長さであることを特徴とする紙収納体。
【請求項４】
請求項１または２記載の紙収納体において、上面の最短長辺を含む前記開口部２の長手方向の長さが上面の最短辺の長さの３０％以上の長さであることを特徴とする紙収納体。
【考案の詳細な説明】
【技術分野】
【０００１】
本考案は、テッシュペーパー、キッチンペーパーなどを収納する紙収納体に関するものである。
【背景技術】
【０００２】
従来の紙収納体は特許文献１，２に示すように、ほぼ水平で交互に積層されたテッシュペーパーやキッチンペーパーを略直方体の空洞の紙収納体の上部中央部分の取出し口一箇所から、取出すのが一般的である。
【先行技術文献】
【特許文献】
【０００３】
【特許文献１】特許第４６４０８７１号公報
【特許文献２】特開２０１８−１０４０８１
【考案の概要】
【考案が解決しようとする課題】
【０００４】
従来の紙収納体は紙を上部の中央部分の取出し口一箇所から取出すのが一般的であるが、上部から取出すため濡れた手で取出すと水滴が落ちやすく衛生的な取出しができない。また、車のダッシュボードやグローブボックスなどに置いた場合、紙を取出しにくい。それらの欠点を上下前後左右あらゆる方向から紙を取出すことで解決しようとするものである。
【課題を解決するための手段】
【０００５】
略直方体の紙収納体の上面の中央部に設けられた取出し口と上面と前面の接する部分近くに設けられた取出し口と上面と側面の接する部分近くに設けられた取出し口を有する紙収納体、又は、略直方体の紙収納体の上面と前面の接する部分近くに設けられた取出し口と上面と側面の接する部分近くに設けられた取出し口を有する紙収納体を使用することで、様々な場所で紙を取出し易く使用することができる。
【考案の効果】
【０００６】
前述のように、使用される状況に応じて最適な取出し部を選択使用することで、上下前後左右あらゆる方向から紙を取出すことができ、取出し易く使用することができる。
【図面の簡単な説明】
【０００７】
【図１】本考案の紙で紙収納体を作成した実施例で、上面取出し部より紙を取り出している状態の斜視図である。
【図２】図１に示す紙収納体の垂直断面図である。
【図３】上面２Ａ下面２Ｂの投影面を底にして上下前後左右に取出し口があることを示した斜視図である。
【図４】前面４Ａ後面４Ｂの投影面を底にして上下前後左右に取出し口があることを示した斜視図である。
【図５】右側面６Ａ左側面６Ｂの投影面を底にして上下前後左右に取出し口があることを示した斜視図である。
【図６】図１に示す紙収納体の取出し部のミシン目の状態の斜視図である。
【図７】本考案第二の実施例で、紙収納体の上面の中央部に設けられた取出し口と、下面と前面の接する部分近くに設けられた取出し口と下面と側面の接する部分近くに設けられた取出し口はミシン目の状態の斜視図である。
【図８】本考案第三の実施例で、ポリエチレン、ポリプロピレンなどのフィルムで作成した紙収納体で、取出し部はミシン目の状態での斜視図である。
【図９】本考案第四の実施例で、布の紙収納体の斜視図である。
【図１０】本考案第五の実施例で、紙収納体の上部を持ち上げた状態の斜視図である。
【図１１】本考案第五の実施例で、紙収納体の斜視図である。
【図１２】壁掛ホルダーに入れて使用している状態の斜視図である。
【図１３】キッチンで使用している状態の斜視図である。
【図１４】図１の紙収納体を本棚で使用する状態の斜視図である。
【図１５】紙収納体を車のグローブボックスで使用する状態の斜視図である。
【図１６】紙収納体を車の座席後ろポケットで使用する状態の斜視図である。
【図１７】図１の紙収納体を車のコンソールボックスで使用する状態の斜視図である。
【考案を実施するための形態】
【０００８】
略直方体の空洞の紙収納体の上面の中央部と、必ず前面の一部を含む前面と上面の接する部分近くや、上面と側面の接する部分近くに取出し口が設けられた紙収納体。又は、略直方体の紙収納体の上面と前面の接する部分近くに設けられた取出し口と上面と側面の接する部分近くに設けられた取出し口が設けられている紙収納体。                                                        
【０００９】
紙収納体の幅方向に延びる上前面取出し口横幅（ＡＷ２）は、ティシュペーパーの場合、スムーズに取出すために表面の横幅（ＡＷ１）の４０％以上が好ましい、また、上側面取出し口横幅（ＢＷ２）は表面の横幅（ＢＷ１）の３０％以上が好ましい。
【実施例】
【００１０】
以下添付図面に従って一実施例を説明する。全体は紙の空洞の紙収納体で、２Ａは上面、３は上面取出し部、４Ａは前面、５は上前面取出し部である。
６Ａは右側面で７は上側面取出し部で、図１では、１０のペーパーを３、上面取出し部より取出しているところである。
【産業上の利用可能性】
【００１１】
本考案は上下前後左右あらゆる方向から紙を取出すことができるので様々な用途で便利に使用できる。
【符号の説明】
【００１２】
１    紙収納体
２Ａ  上面
２Ｂ  下面
３    上面取出し口
４Ａ  前面
４Ｂ  後面
５    上前面取出し口
６Ａ  右側面
６Ｂ  左側面
７    上側面取出し口
８    下前面取出し口
９    下側面取出し口
１０  紙
１１  上面取出し口ミシン目
１２  上前面取出し口ミシン目
１３  上側面取出し口ミシン目
１４  下前面取出し口ミシン目
１５  下側面取出し口ミシン目
１６  フィルムケース
１７  布ケース
１８  ステッチ
１９  上部紙収納体
２０  下部紙収納体
【図１】
0003231004.tif 000003
【図２】
0003231004.tif 000004
【図３】
0003231004.tif 000005
【図４】
0003231004.tif 000006
【図５】
0003231004.tif 000007
【図６】
0003231004.tif 000008
【図７】
0003231004.tif 000009
【図８】
0003231004.tif 000010
【図９】
0003231004.tif 000011
【図１０】
0003231004.tif 000012
【図１１】
0003231004.tif 000013
【図１２】
0003231004.tif 000014
【図１３】
0003231004.tif 000015
【図１４】
0003231004.tif 000016
【図１５】
0003231004.tif 000017
【図１６】
0003231004.tif 000018
【図１７】
0003231004.tif 000019